(57)【要約】      （修正有）【課題】左辺止め体と右辺止め体とを対向して、極めて簡単にして、迅速にしかも確実に接続できる装身具用止め具を提供する。【解決手段】左辺止め体ａを、その接触面部に嵌挿部を形成せしめ、左辺止め体を構成する外側面部６より嵌挿部方向に、環状部材の端部を接続せしめる支持体７を嵌着する挿込み孔部を形成し、嵌挿部には磁石体を、かつ挿込み孔部には支持体７を夫々容易に離脱しないように嵌着する。右辺止め体ｂも同様に構成する。左辺止め体と右辺止め体の接触面部が対向するときには吸着し、左辺止め体と右辺止め体を牽引すると、左辺止め体と右辺止め体が容易に分離できるようになる。【選択図】図３
0003214969.tif 000002
【実用新案登録請求の範囲】
【請求項１】
装身具を構成せしめる環状部材の両端部に夫々装着せしめられる左辺止め体と右辺止め体とからなる装身具用止め具において、
前記左辺止め体を、該左辺止め体を構成する接触面部に嵌挿部を形成せしめ、該左辺止め体を構成する外側面部より前記嵌挿部方向に、前記環状部材の端部を接続せしめる支持体を嵌着する挿込み孔部を形成せしめ、且前記嵌挿部に磁石体を、且前記挿込み孔部に前記支持体を夫々容易に離脱しないように嵌着せしめ組立てると共に、
他方前記右辺止め体を、該右辺止め体を構成する接触面部に嵌挿部を形成せしめ、該右辺止め体を構成する外側面部より前記嵌挿部方向に、前記環状部材の端部を接続せしめる支持体を嵌着する挿込み孔部を形成せしめ、前記嵌挿部に磁石体を、且前記挿込み孔部に前記支持体を夫々容易に離脱しないように嵌着せしめ組立てると共に、
前記左辺止め体と前記右辺止め体は、夫々の前記接触面部が対向するときには吸着し、前記左辺止め体と前記右辺止め体を牽引すると、前記左辺止め体と前記右辺止め体が分離せしめられるようにしたことを特徴とする装身具用止め具。
【請求項２】
前記左辺止め体と前記右辺止め体が、半球形状をしていることを特徴とする請求項１に記載の装身具用止め具。
【請求項３】
前記左辺止め体と前記右辺止め体の接触面部が、夫々平面状にて形成せしめられていることを特徴とする請求項１又は２に記載の装身具用止め具。
【請求項４】
前記磁石体が、前記左辺止め体と前記右辺止め体の接触面部よりも小径状にして、且断面が円形状をしていることを特徴とする請求項１又は２又は３に記載の装身具用止め具。
【請求項５】
前記左辺止め体と前記右辺止め体に形成の支持体の長さが、挿込み孔部の長さよりも短く形成せしめられていることを特徴とする請求項１又は２又は３又は４に記載の装身具用止め具。
【請求項６】
前記左辺止め体と前記右辺止め体が、合成樹脂製にて形成せしめられていることを特徴とする請求項１又は２又は３又は４又は５に記載の装身具用止め具。
【請求項７】
前記左辺止め体と前記右辺止め体が、各種色彩の異なる着色合成樹脂製にて形成せしめられていることを特徴とする請求項６に記載の装身具用止め具。
【考案の詳細な説明】
【技術分野】
【０００１】
本考案は、装身具用止め具の技術分野に関するものである。
【背景技術】
【０００２】
従来、環状装身具用ずれ止め具及び環状装身具が、実用新案登録第３１４０２７３号公報（特許文献１）に記載され公知である。
【０００３】
前記の特許文献１にかかる環状装身具用ずれ止め具及び環状装身具における環状装身具は、同文献１の図７、９、１０に図示されているように、装身具を構成する環状部材７２の左右両端部を連続している止め具７３が開示されている。
【０００４】
前記止め具７３は、引き輪と止め輪とで形成されている。さらに前記止め具７３は金属製で形成されている。
【０００５】
そのため、前記止め具７３が引き輪と止め輪にて形成されている場合、殊にお年を召された女性らにとって、引き輪と止め輪を左右の手指にて掴みながら、両手を首部の後方に廻しながら接続せしめるのに思うように行かず、出掛けるのに時間が少ないとき等は、苛々して時間がかかる等弊害が多々あった。
【０００６】
さらに、従来の止め具が金属製の場合、金属アレルギーによりかゆくなったり、あるいは肌荒れ症状を惹起せしめる等の弊害があった。また従来の止め具が引き輪と止め輪の場合、金属製のため色彩が金色もしくはシルバー色に限定されており、環状装身具を構成する止め具が環状装身具の環状部材に接続されているヘッドと称されているダイヤ、パール等の宝石類もしくは板状で形成されているプレート等から形成されているヘッドの色彩に合わせることができないと云う弊害もあった。
【先行技術文献】
【特許文献】
【０００７】
【特許文献１】実用新案登録第３１４０２７３号公報
【考案の概要】
【考案が解決しようとする課題】
【０００８】
前記特許文献１の環状装身具用ずれ止め具及び環状装身具は、引き輪と止め輪とを左右両方の手指に掴み首部の後方へ廻しながら嵌め込み操作をすることが、殊にお年を召された女性らにとって極めて煩雑であり、好ましくなかった。
【０００９】
さらに、前記止め具を構成する引き輪と止め輪が金属製にて形成されている場合には、金属アレルギーによるかゆみや肌荒れ症状が発生する等、余り好ましくはなかった。
【００１０】
そして従来の止め具の色彩が金色もしくはシルバー色等のため、環状装身具の環状部材のヘッドの装飾品の色彩と色合わせをすることができにくかった。
【００１１】
しかるに本考案の装身具用止め具は、止め具を構成する左辺止め体と右辺止め体に、両止め体を構成する接触面部に嵌挿部を夫々形成し、前記嵌挿部に夫々磁石体を嵌着せしめることによって、前記左辺止め体と右辺止め体とを対向すれば、極めて簡単にして、且迅速にしかも確実に接続することができるようにして課題を解決せしめた。
【００１２】
さらに本考案が解決しようとする課題は、前記左辺止め体と右辺止め体を各種色彩の着色合成樹脂製にしたことによって、環状装身部材のヘッドの装飾品の色彩に合わせることができるようにして課題を解決した。
【００１３】
また本考案が解決しようとする課題は、左辺止め体と右辺止め体を合成樹脂製にすることによって、金属アレルギーによる肌のかゆみやあるいは肌荒れ症状が発生するのを防止して課題を解決した。
【課題を解決するための手段】
【００１４】
上記課題を解決するための手段として、請求項１に記載の考案は、装身具Ｂを構成せしめる環状部材１の両端部２、３に夫々装着せしめられる左辺止め体ａと右辺止め体ｂとからなる装身具用止め具Ａにおいて、
前記左辺止め体ａを、該左辺止め体ａを構成する接触面部４に嵌挿部５を形成せしめ、該左辺止め体ａを構成する外側面部６より前記嵌挿部５方向に、前記環状部材１の端部を接続せしめる支持体７を嵌着する挿込み孔部８を形成せしめ、且前記嵌挿部５に磁石体ｃを、且前記挿込み孔部８に前記支持体７を夫々容易に離脱しないように嵌着せしめ組立てると共に、
他方前記右辺止め体ｂを、該右辺止め体ｂを構成する接触面部４ａに嵌挿部５ａを形成せしめ、該右辺止め体ｂを構成する外側面部６ａより前記嵌挿部５ａ方向に、前記環状部材１の端部を接続せしめる支持体７を嵌着する挿込み孔部８ａを形成せしめ、前記嵌挿部５ａに磁石体ｃを、且前記挿込み孔部８ａに前記支持体７を夫々容易に離脱しないように嵌着せしめ組立てると共に、
前記左辺止め体ａと前記右辺止め体ｂは、夫々の前記接触面部４、４ａが対向するときには吸着し、前記左辺止め体ａと前記右辺止め体ｂを牽引すると、前記左辺止め体ａと前記右辺止め体ｂが分離せしめられるようにしたことを特徴とする装身具用止め具である。
【００１５】
請求項２に記載の考案は、前記左辺止め体ａと前記右辺止め体ｂが、半球形状をしていることを特徴とする請求項１に記載の装身具用止め具である。  
【００１６】
請求項３に記載の考案は、前記左辺止め体ａと前記右辺止め体ｂの接触面部４、４ａが、夫々平面状にて形成せしめられていることを特徴とする請求項１又は２に記載の装身具用止め具である。
【００１７】
請求項４に記載の考案は、前記磁石体ｃ、ｃが、前記左辺止め体ａと前記右辺止め体ｂの接触面部４、４ａよりも小径状にして、且断面が円形状をしていることを特徴とする請求項１又は２又は３に記載の装身具用止め具である。
【００１８】
請求項５に記載の考案は、前記左辺止め体ａと前記右辺止め体ｂに形成の支持体７、７の長さが、挿込み孔部８、８ａの長さよりも短く形成せしめられていることを特徴とする請求項１又は２又は３又は４に記載の装身具用止め具である。
【００１９】
請求項６に記載の考案は、前記左辺止め体ａと前記右辺止め体ｂが、合成樹脂製にて形成せしめられていることを特徴とする請求項１又は２又は３又は４又は５に記載の装身具用止め具である。
【００２０】
請求項７に記載の考案は、前記左辺止め体ａと前記右辺止め体ｂが、各種色彩の異なる着色合成樹脂製にて形成せしめられていることを特徴とする請求項６に記載の装身具用止め具である。
【考案の効果】
【００２１】
本考案の構成は上述のとおりなので、止め具を構成する左辺止め体と右辺止め体に、両止め体を構成する接触面部に夫々嵌挿部を形成し、前記嵌挿部に磁石体を嵌着せしめることによって、前記左辺止め体と右辺止め体とを対向さえすれば、極めて簡単且迅速に、しかも確実に接続することができる利点がある。
【００２２】
さらに本考案は、前記左辺止め体と右辺止め体を各種色彩の着色合成樹脂製にすることによって、環状装身部材のヘッドの装飾品の色彩に合わせることができる利点がある。
【００２３】
また本考案は、左辺止め体と右辺止め体を合成樹脂製にすることによって、金属アレルギーによる肌のかゆみやあるいは肌荒れ症状が発生するのを防止した利点がある。
【図面の簡単な説明】
【００２４】
【図１】本考案の装身具用止め具をネックレスに使用した状態の正面図である。
【００２５】
【図２】同装身具用止め具をブレスレットに使用した状態の正面図である。
【００２６】
【図３】同装身具用止め具の斜視図である。
【００２７】
【図４】同装身具用止め具を構成する左辺止め体の正面図である。
【００２８】
【図５】同装身具用止め具を構成する右辺止め体の正面図である。
【００２９】
【図６】図４の装身具用止め具を構成する左辺止め体の縦断面図である。
【００３０】
【図７】図６に図示された左辺止め体の右側面図である。
【００３１】
【図８】同装身具用止め具を構成する右辺止め体の縦断面図である。
【００３２】
【図９】図８に図示された右辺止め体の左側面図である。
【考案を実施するための最良の形態】
【００３３】
本考案における請求項１〜７に記載の考案の実施の形態は、共通しているので以下のとおり一括して説明する。
【００３４】
＜実施例の１＞
図において、Ａは本考案の装身具用止め具であり、該止め具Ａは環状部材１の両端部２、３に装着せしめられる左辺止め体ａと右辺止め体ｂとから構成されている。
【００３５】
前記左辺止め体ａと右辺止め体ｂは、通常半球形状にして、対称的に形成されているが、限定するものではない。
【００３６】
前記左辺止め体ａの構成について具体的に説明すると以下のとおりである。
【００３７】
該左辺止め体ａは、一例として半球形状の場合、底面部が平面状をした接触面部４に、該接触面部４の外周縁部の径よりも小径にして、且円形状の嵌挿部５を形成せしめる。前記円形状については限定するものではない。
【００３８】
そして、前記左辺止め体ａは、外側面部６の頂部もしくは中央部より前記接触面部４の嵌挿部５方向に挿込み孔部８を形成せしめる。さらに前記左辺止め体ａの挿込み孔部８には、前記環状部材１の端部と接続せしめるヒートンたる支持体７の脚部７ａが接着剤を介して抜出しないように嵌着せしめられる。前記支持体７には、前記装身具Ｂを構成する環状部材１の端部を接続せしめる環部７ｂが形成されている。
【００３９】
図において、ｃは前記左辺止め体ａを構成する嵌挿部５に容易に離脱しないように接着剤を介して嵌着せしめる磁石体である。そして、その形状は通常円柱形状をしているが限定するものではない。
【００４０】
さらに前記磁石体ｃは、前記嵌挿部５に嵌着せしめられた際、前記左辺止め体ａを構成する接触面部４と面一もしくは稍々突出せしめるが限定的ではない。
【００４１】
前記左辺止め体ａは、通常合成樹脂製とし、且色彩を多色のもので形成せしめる。
【００４２】
以上が本考案の装身具用止め具Ａを構成する左辺止め体ａの実施例である。
【００４３】
＜実施例の２＞
本考案の装身具用止め具Ａを構成する右辺止め体ｂの実施例につき説明すると以下のとおりである。この右辺止め体ｂは前記左辺止め体ａと通常同形状にして、且同じ資材製にて形成されている。
【００４４】
すなわち、該右辺止め体ｂは、一例として半球形状の場合、底面部が平面状をした接触面部４ａに、該接触面部４ａの外周縁部の径よりも小径にして、且円形状の嵌挿部５ａを形成せしめる（図５）。前記円形状については限定的ではない。
【００４５】
そして、前記右辺止め体ｂ（図５、８、９）は、外側面部６ａの頂部もしくは中央部より前記接触面部４ａの嵌挿部５ａ方向に挿込み孔部８ａを形成せしめる。さらに前記右辺止め体ｂの挿込み孔部８ａには、前記環状部材１の端部に接続せしめる支持体７の脚部７ａを、接着剤を介して抜出しないように嵌着せしめられる。前記支持体７には、前記装身具Ｂを構成する環状部材１の端部を接続せしめる環部７ｂが形成されている。
【００４６】
図において、ｃは前記右辺止め体ｂを構成する嵌挿部５ａに容易に離脱しないように接着剤を介して嵌着せしめる磁石体である（図８、９）。そして、この形状は通常円柱形状をしているが限定するものではない。
【００４７】
さらに前記磁石体ｃは、前記嵌挿部５ａに嵌着せしめられた際、前記右辺止め体ｂを構成する接触面部４ａと面一もしくは稍々突出せしめるが限定的ではない。
【００４８】
前記右辺止め体ｂは、通常合成樹脂製とし、且色彩を多色のもので形成せしめる。
【００４９】
以上が本考案の装身具用止め具Ａを構成する右辺止め体ｂの実施例である。
【００５０】
さらに、前記左辺止め体ａと右辺止め体ｂに嵌着せしめられる両磁石体ｃ、ｃは、前記両止め体ａ、ｂの嵌挿部５、５ａに夫々嵌着せしめるときは、図３に図示されているように、前記両止め体ａ、ｂが両止め体ａ、ｂを構成する接触面部４、４ａ同士が対向状に接近すると、吸着せしめられるように組立てられている。
【００５１】
＜実施例の３＞
本考案の装身具用止め具Ａは、該止め具Ａを構成する左辺止め体ａと右辺止め体ｂを、予め着色せしめ多種類のものを製造しておくことによって、図１に図示されているヘッドの装飾品９の色彩に合わせながら環状部材１の端部に接続せしめ製品化を図ることができる。
【００５２】
＜実施例の４＞
さらに、本考案の装身具用止め具Ａは、該止め具Ａを構成する左辺止め体ａと右辺止め体ｂの形状を図３、４、５、６、７、８、９のような形状に限定するものなく、従って、半球形状もしくは楕円形状等としてもよい。
【００５３】
＜使用方法＞
本考案の装身具用止め具Ａに関する使用方法を説明すると以下のとおりである。
【００５４】
本考案の装身具用止め具Ａを構成する左辺止め体ａと右辺止め体ｂを、分離した状態で、夫々の止め体ａ、ｂを左手指と右手指とで持ちながら、使用者の首の後方に廻わしてやる。そして前記左辺止め体ａと右辺止め体ｂの接触面部４、４ａを対向せしめれば、両磁石体ｃ、ｃが吸着して、前記左辺止め体ａと前記右辺止め体ｂが極めて容易にして、迅速に、しかも確実に吸着できる。
【００５５】
他方本考案の装身具用止め具Ａの解除方法について説明すると以下のとおりである。
【００５６】
両方の手指を首の後方に廻わして、左辺止め体ａと右辺止め体ｂ、もしくはそれらの周辺部を左右の手指で掴んで軽く牽引すれば、吸着している磁石体ｃ、ｃが分離され、前記の左辺止め体ａと右辺止め体ｂが離脱する。そして不使用時には、再度左辺止め体ａと右辺止め体ｂを吸着せしめ保管する。
【００５７】
以上実施形態を図面に基づいて説明したが、本考案は、図示例の限りではなく、その技術的思想を逸脱しない範囲において、当業者の通常に行う設計変更、応用のバリエーションの範囲を含むことを念のため言及する。
【符号の説明】
【００５８】
Ａ      装身具用止め具
Ｂ      装身具
ａ      左辺止め体
ｂ      右辺止め体
ｃ      磁石体
１      環状部材
２      両端部
３      両端部
４      接触面部
４ａ    接触面部
５      嵌挿部
５ａ    嵌挿部
６      外側面部
６ａ    外側面部
７      支持体
７ａ    脚部
７ｂ    環部
８      嵌込み孔部
８ａ    嵌込み孔部
９      装飾品
【図１】
0003214969.tif 000003
【図２】
0003214969.tif 000004
【図３】
0003214969.tif 000005
【図４】
0003214969.tif 000006
【図５】
0003214969.tif 000007
【図６】
0003214969.tif 000008
【図７】
0003214969.tif 000009
【図８】
0003214969.tif 000010
【図９】
0003214969.tif 000011